(57)【特許請求の範囲】
【請求項１】
中空の胴部（２）の前部に弦（２４）を張るネック（１０）を設け、該ネック（１０）の上面に指板（１５）を設けてなるバイオリンにおいて、前記胴部（２）は、前後部が広幅にかつ前後方向中間部が小幅に形成された平面視瓢箪形の表板（４）と裏板（３）とを上下に対面させ、該表板（４）と裏板（３）とを、その周縁部に沿って起立する側板（５）を介して一体的に固着するとともに、該側板（５）は、前記表板（４）及び裏板（３）の前部周縁部に沿う二つの前部（５ａ）、前記表板（４）及び裏板（３）の前後方向中間部の周縁部に沿う二つの中間部（５ｂ）、及び前記表板（４）及び裏板（３）の後部周縁部に沿う後部（５ｃ）に分断され、前記側板（５）の中間部（５ｂ）の前後端を側板（５）の前部（５ａ）及び後部（５ｃ）の端部に当接させることにより、中間部（５ｂ）と前部（５ａ）及び後部（５ｃ）との結合部（Ｃ１，Ｃ２）を尖鋭にし、前記側板（５）の前部（５ａ），（５ａ）のネック（１０）側前端部を互いに離間させてネック（（１０）の基部側が嵌合する方形の差込口（６）を形成し、前記ネック（１０）は、下面が円弧となる断面半円状のネック主体（１０ａ）の基部に、上下面（１１ａ，１１ｂ）及び左右の側面（１１ｃ，１１ｃ）が平行となる角形ブロック状の差込部（１１）を形成し、該差込部（１１）を前記差込口（６）に嵌合させ、その上部側の面（１１ａ）と下部側の面（１１ｂ）とに表板（４）の前部と裏板（３）の前部とを重ね合わせて一体的に固着し、差込部（１１）の左右の側面（１１ｃ，１１ｃ）に前記側板（５）の前端を当接させて一体的に固着し、細長い複数枚の薄板材を積層して断面円弧状に湾曲させてなる指板（１５）を設け、該指板（１５）の幅方向両側を前記ネック主体（１０ａ）上面の幅方向両側に当接させて固着したことを特徴とするバイオリン。
【発明の詳細な説明】
【技術分野】
【０００１】
本発明は、練習、教材あるいは娯楽用として活用できる安価なバイオリンに関するものである。
【背景技術】
【０００２】
従来のバイオリンは、胴部にネックを結合する際に、胴部の側板の前部にブロック状の結合駒を設け、該結合駒とネックとの結合部に蟻継ぎ等の複雑な仕込み加工を施して両者を結合したり、指板は一枚の板材を断面円弧状に加工して形成したりしていたため、高度の加工技術及び専用の工具等を要し、高価になるものであった。また、弓は、本体部を一本の棒材により全体の重心を考慮しながら、グリップ部、竿部、弓弦の係止部等を形成するようにしていたので、本体部と同様に高度の加工技術及び専用の工具等を要し、高価になるものであった。このため、一般の人がバイオリンを気軽に弾いたり、製作したりして楽しむことができないものであった。
【特許文献１】特開平５−１８１４５７号公報
【発明の開示】
【発明が解決しようとする課題】
【０００３】
本発明は、一般の人が簡素な工具で容易に製作できるバイオリンを得ることにより、楽器の演奏、及び楽器造りが気軽に味わえ、音楽の普及に供しようとするものである。
【課題を解決するための手段】
【０００４】
請求項１に係る発明は、中空の胴部の前部に弦を張るネックを設け、該ネックの上面に指板を設けてなるバイオリンにおいて、前記胴部は、前後部が広幅にかつ前後方向中間部が小幅に形成された平面視瓢箪形の表板と裏板とを上下に対面させ、該表板と裏板とを、その周縁部に沿って起立する側板を介して一体的に固着するとともに、該側板は、前記表板及び裏板の前部周縁部に沿う二つの前部、前記表板及び裏板の前後方向中間部の周縁部に沿う二つの中間部、及び前記表板及び裏板の後部周縁部に沿う後部に分断され、前記側板の中間部の前後端を側板の前部及び後部の端部に当接させることにより、中間部と前部及び後部との結合部を尖鋭にし、前記側板の前部のネック側前端部を互いに離間させてネックの基部側が嵌合する方形の差込口を形成し、前記ネックは、下面が円弧となる断面半円状のネック主体の基部に、上下面及び左右の側面が平行となる角形ブロック状の差込部を形成し、該差込部を前記差込口に嵌合させ、その上部側の面と下部側の面とに表板の前部と裏板の前部とを重ね合わせて一体的に固着し、差込部の左右の側面に前記側板の前端を当接させて一体的に固着し、細長い複数枚の薄板材を積層して断面円弧状に湾曲させてなる指板を設け、該指板の幅方向両側を前記ネック主体上面の幅方向両側に当接させて固着する構成にしたものである。
【発明の効果】
【０００５】
請求項１に係る発明は、ネックの基部に形成する差込部を単純な形状の角形としたので、鋸、かんな等の簡素な工具で容易に形成することができる。また、上記差込部を胴部の差込口６に差込んで、その上部側の面と下部側の面とに胴部の表板の前部と裏板の前部とを重ね合わせて一体的に固着し、前記差込部の左右両側に胴部の左右側板の前端を当接させて一体的に固着するようにしたので、胴部に結合するネックの位置決めが容易になるとともに、結合部の当接面積が広くなってネックを胴部に強固に結合させることができる。また、指板は、細長い複数枚の薄板材を積層して断面円弧状に湾曲させて形成するようにしたので、切削加工が不要となり、容易に形成することができる。
【発明を実施するための最良の形態】
【０００６】
以下本発明の実施の形態を図面に基いて説明する。図面において、図１は本発明の実施例を示すバイオリンの側面図、図２はネックと胴部との結合部を示す要部断面側面図、図３は図２のIII-III拡大断面図、図４は胴部の後部側を示す断面側面図、図５は一部を破断したバイオリンの部分平面図、図６は弓の部分側面図である。
【０００７】
図１において、１はバイオリンであり、胴部２、ネック１０、指板１５、テールピース２０、弦２４等により構成されている。上記胴部２は、平面視瓢箪形状に裁断された裏板３、表板４を互いに対面させ、両者をその周縁部に沿って起立固定した側板５を介して一体的に固着し、表板４には、図５に示すように、音出し用のホール４ａが形成されている。
【０００８】
本例では、上記裏板３は厚さ約４ｍｍの繊維板製の平板により形成し、表板４は厚さ約５ｍｍの桐製の平板により形成し、また、側板５は厚さ約２ｍｍのベニヤ（単板）を湾曲させて形成する。この場合上記側板５は、図５に示すように、前部５ａ、中間部５ｂ、後部５ｃをそれぞれ分断して形成し、中間部５ｂの前後端を前部５ａ及び後部５ｃの端部に当接させることにより、中間部５ｂと前部５ａ及び後部５ｃとの結合部Ｃ１，Ｃ２を尖鋭にする。また、上記側板５の前端部、つまり左右の前部５ａ，５ａの前端部は互いに離間させてネック１０の基部側が嵌合する方形の差込口６を形成する。なお、上記側板５は二重構造の合板により形成すれば、湾曲性をさほど低下させることなく外観を高くすることができるので、より好ましい。
【０００９】
上記ネック１０はネック主体１０ａを図３に示すように、断面半円状にし、その基部（後端部）に差込部１１を、前端部にヘッド部１２を形成する。差込部１１は図１、図２に示すように、ネック主体１０ａの基部の上部と下部とを段状かつ平行に切欠き、また、左右の側面１１ｃ，１１ｃ（図１）を平行な面にして角形のブロック状とし、該差込部１１を前述した差込口６に嵌合させ、その上部側の面１１ａと下部側の面１１ｂとに表板４の前部と裏板３の前部とをそれぞれ重ね合わせて一体的に固着し、差込部１１の左右１１ｃ，１１ｃに前述した側板５の前端を当接させて一体的に固着する。これにより、表板４及び裏板３との当接面積を広くしてネック１０を胴部２に強固に結合するとともに、ネック１０の上方への曲げ剛性を高くする。
【００１０】
上記ネック１０のヘッド部１２は、図２に示すように、上面側に前後方向に細長い凹部１２ａを形成し、該凹部１２ａが存在するヘッド部１２の左右両側に４個の糸巻１３を回転可能に取り付ける。各糸巻１３は、心棒１３ａの端部に取り付ける摘まみ１３ｂを、木製の丸棒を短尺に切断した円板体とし、この円板体を心棒１３ａと直交させて嵌合固定してなる。これにより径の異なる２種類の丸棒材により各糸巻１３を容易に形成することができる。
【００１１】
上記ネック主体１０ａの上面に指板１５を固着する。この指板は、図３に示すように、細長い複数枚、例えば４枚の薄板材を積層して断面円弧状に湾曲させて形成する。これにより、切削加工を要することなく高精度の円弧面を形成することができる。
【００１２】
前述した胴部２の後部側にテールピース２０を取り付ける。このテールピース２０は、図４、図５に示すように、前後に長い長方形状の板材の前端部に４個の前部係止孔２０ａを左右に所定ピッチで貫通形成し、後端部の左右に２個の後部係止孔２０ｂを貫通形成し、前部係止孔２０ａに弦２４の後端を係止する。また、後部係止孔２０ｂにワイヤロープ等の緊張体２１を挿通し、その両端部をテールピース２０の上部側に位置させ、この部を鉛、あるいは銅等、軟質製の金属パイプからなる締結具２２に挿通した後、該締結具２２をかしめて上記両端部を締結し、上記緊張体２１をリング状にする。
【００１３】
上記リング状にした緊張体２１は、図４に示すように、表板４の後端部に形成した２個のスリット４ｂに嵌合させた後、胴部２の後面に突出固定した係止ピン２３に係止する。該係止ピン２３は胴部２の後部に固着した補強用のブロック７に嵌合固定する。図４において、８は表板３に起立固定した駒であり、弦２４を受けてこれの振動を表板４に伝達するものである。９は表板３の裏面に固着した補強リブである。
【００１４】
上記バイオリン１を弾く弓は図６に示すようになっている。図６において、２５は弓であり、大径側のパイプ２６により所定長さのグリップ部２５ａを形成し、該パイプ２６に小径の小径側のパイプ２７を嵌合させるとともに、該小径側のパイプ２７の前部を前方（図６において左方）に突出させ、該突出部により所定長さの竿部２５ｂを形成する。上記グリップ部２５ａの前後中間部に第１係止具２８を前後移動調節可能に取付け、また、竿部２５ｂの先端部に第２係止具３３を係止（固定）する。そして、上記第２係止具３３に弓弦３５の前端部を固着し、該弓弦３５の後端部を上記第１係止具２８に係止する。
【００１５】
上記大径側のパイプ２６及び小径側のパイプ２７は、本例では植木の姿勢を保持するスライド式の支柱を改良して形成したもので、上記大径側のパイプ２６の長さを所定の長さに切断してグリップ部２５ａとし、小径側のパイプ２７を大径側のパイプ２６に嵌合させる嵌合量を調整して弓２５の重心位置が基部（後部）側の所定位置となるように設定するとともに、該小径側のパイプ２７の先端部を所定箇所で切断して竿部２５ｂの長さを設定する。なお、上記グリップ部２５ａ、竿部２５ｂは、径の異なる２本以上のパイプを互いに嵌合させて（継ぎ足して）形成するようにしてもよい。
【００１６】
上記第１係止具２８は以下の如くなっている。即ち、取付け板２９をホルダ２９ａを介して大径側のパイプ２６に固定し、上記取付け板２９にガイド３０を固定し、該ガイド３０にフック３１ａを有するスライドピン３１を前後摺動可能に挿通し、該スライドピン３１の後端に小ねじ３２を連結するとともに、該小ねじ３２を上記ホルダ２９ａに前後摺動可能に挿通した後、その後部を後方に突出させ、該突出部にナット３２ａを螺合させる。そして、上記フック３１ａに弓弦３５の後端を係止した後、ナット３２ａを正逆回転させ、小ねじ３２を介してスライドピン３１を前後方向に移動させることにより、弓弦３５の張力を調節する。また、弓弦３５は細い釣り糸を集合させて形成する。
【００１７】
以上説明したように、本発明によるバイオリン１及び弓２５は一般の人が簡素な工具で容易に形成することができ、楽器の演奏、及び楽器造りを気軽に味わうことができる。
【図面の簡単な説明】
【００１８】
【図１】本発明の実施例を示すバイオリンの側面図である。
【図２】ネックと胴部との結合部を示す要部断面側面図である。
【図３】図２のIII-III拡大断面図である。
【図４】胴部の後部側を示す断面側面図である。
【図５】一部を破断したバイオリンの部分平面図である。
【図６】弓の部分側面図である。
【符号の説明】
【００１９】
１    バイオリン
２    胴部
３    裏板
４    表板
４ａ  ホール
４ｂ  スリット
５    側板
５ａ  前部
５ｂ  中間部
５ｃ  後部
６    差込口
７    ブロック
８    駒
９    補強リブ
１０    ネック
１１    差込部
１１ａ  上面
１１ｂ  下面
１１ｃ  左右面
１２    ヘッド部
１２ａ  凹部
１３    糸巻
１３ａ  心棒
１３ｂ  つまみ
１５    指板
２０    テールピース
２０ａ  前部係止孔
２０ｂ  後部係止孔
２１    緊張体（ワイヤ）
２２    締結具
２３    係止ピン
２４    弦
２５    弓
２５ａ  グリップ部
２５ｂ  竿部
２６    大径側のパイプ
２７    小径側のパイプ
２８    第１係止具
２９    取付け板
２９ａ  ホルダ
３０    ガイド
３１    スライドピン
３１ａ  フック
３２    小ねじ
３２ａ  ナット
３３    第２係止具
３５    弓弦
【図１】
0004072136.tif 000002
【図２】
0004072136.tif 000003
【図３】
0004072136.tif 000004
【図４】
0004072136.tif 000005
【図５】
0004072136.tif 000006
【図６】
0004072136.tif 000007